(57)【要約】【課題】電気泳動式ディスプレイを単純マトリクス駆動させた場合において、画像の品質を損ねたりせず、中間濃度の表示ができ、異なる種類の粒子を選択的に駆動させる方法を提供すること。【解決手段】白または黒、もしくは着色された粒子が分散媒と共に封入されているマイクロカプセルが、少なくとも片側が透明な電極間にバインダーと共に配置されている画像表示装置の駆動方法であって、一方の電極に交流パルス電圧、もう一方の電極には直流電圧を印加し、マイクロカプセル中の粒子を制御する。【選択図】図１
2013200354.tif 000002
【特許請求の範囲】
【請求項１】
白または黒、もしくは着色された粒子が分散媒と共に封入されているマイクロカプセルが、少なくとも片側が透明な電極間にバインダーと共に配置されている画像表示装置の駆動方法であって、
着色及び粒径が異なる粒子を内包したマイクロカプセル、もしくは着色及び粒径の異なる粒子を内包する複数種のマイクロカプセルが混在して配置された画像表示装置の、一方の電極に交流パルス電圧、もう一方の電極には直流電圧を印加し、マイクロカプセル中の粒子を制御することを特徴とする画像表示装置の駆動方法。
【請求項２】
請求項１に記載の駆動方法において、片側の電極に印加する交流パルス電圧で粒子の誘電泳動を誘発し、もう片方の電極に加える直流電圧で交流パルス電圧波形にオフセットを与えることで、粒子の移動方向を制御する事を特徴とする画像表示装置の駆動方法。
【請求項３】
請求項１あるいは２に記載の駆動方法において、オフセットのかかった不均一な交流パルス電圧のパルス数によって粒子の移動距離を制御し、表示の濃淡を調節する事を特徴とする画像表示装置の駆動方法。
【請求項４】
請求項１から３のいずれかに記載の駆動方法において、少なくともマイクロカプセルに内包された複数の粒子種すべてが泳動する交流パルス電圧の周波数と、マイクロカプセルに内包された複数の粒子種のうち１種類のみが泳動する交流パルス電圧の周波数を組み合わせて表示を行なうことを特徴とする画像表示装置の駆動方法。
【発明の詳細な説明】
【技術分野】
【０００１】
本発明は、マイクロカプセル内に内包された粒子の誘電泳動現象を利用した画像表示装置の駆動方法に関する。
【背景技術】
【０００２】
近年、情報機器の発達に伴い情報表示も様々な形態を持ってなされている。可変情報の表示としてはＣＲＴ（陰極線管）や液晶ディスプレイ等が主流となっている。ＣＲＴやバックライトを使用するタイプの液晶ディスプレイに代表される発光型ディスプレイは、長時間にわたる使用においては見る者の目を疲れさせ、文章等を読むのには適さない。
【０００３】
一方、バックライトを使用しない反射タイプの液晶ディスプレイは偏光板の使用による画面の暗さが顕著に現れ、視認性が悪いという問題がある。
【０００４】
これらのディスプレイの表示画像はメモリー性をもたず、電気的なエネルギー供給が停止されると同時に消えてしまうという欠点がある。
【０００５】
また、液晶ディスプレイはセルギャップの精度が要求されるため、ガラス基材を用いて作製されており、フィルムを用いたセルの作製や注入は難易度が高く、コーティングなどの手法を用いた大型・大量生産化を行うのに不向きである。
【０００６】
今後さらに普及するであろうＰＤＡや電子ブック等の携帯可能な情報機器のディスプレイの他、新聞や本、雑誌、ポスター等の印刷物の置き換えにおいては、視認性が良好で、消費電力が少なく、フレキシブル性を有していることが必要であると考えられる。
【０００７】
これらの要求を有る程度満足する非発光型のディスプレイとして、従来から電気泳動表示装置や二色ボール表示装置が知られている。
【０００８】
分散媒中に分散された電気泳動粒子への電界の印加による電気泳動現象を利用した電気泳動表示装置は、以前から多数報告がなされている。（特許文献１を参照）
【０００９】
しかし、分散媒中に電気泳動粒子を分散させた分散系に単に電界印加を行う構造では、粒子の凝集や電極等への付着現象によって表示ムラが発生しやすく、良好な表示品位を得られにくかった。
【００１０】
このため、種々のスペーサーを配置することにより分散系を不連続に分割し、表示動作の安定化を図る構造も知られている（特許文献２を参照）が、スペーサー配置後、分散系を均一に充填することは極めて困難であり、粒子の凝集や電極への付着固定も低減できたとは言えない。
【００１１】
この問題を解決する手段として、分散媒中に電気泳動粒子を分散させた分散系をマイクロカプセルに封入する方法が記載されている。（特許文献３を参照）
【００１２】
この方法によれば、粒子の凝集や電極への付着現象を解消して、安定した表示動作が可能となり、分散系装填処理が格段に改善されるだけでなく、マイクロカプセル自体をインキ化することにより、フレキシブル基材へのコーティングやパターニングといった印刷技術を用いた表示装置の作成が可能となった。
【００１３】
このように、電気泳動粒子を用いた表示装置が、大型化やフレキシブル化に対応している一方、それらを駆動させるための技術はＴＦＴ等の液晶ディスプレイを駆動させるための既存技術を流用しているのが現状である。
【００１４】
しかしながら、液晶表示で一般によく利用される単純マトリクスなどのダイナミック駆動を行う場合、明確なしきい値を持つ液晶とは異なり、相対向する一対の電極を選択し画素を指定したとしても、指定した以外の画素においてわずかな電圧の変化で粒子が泳動してしまうというような表示品質面での問題や、中間濃度表示では濃度に比例した電圧による制御が大変困難であるといった不具合があった。
【００１５】
このように電気泳動表示において、擬似的なしきい値をもたせるために、分散系にチクソトロピックな性質を持つ物質が添加された電気泳動分散系が知られている。
【００１６】
たとえば、粒子同士の相互作用を基にしきい値を間接的に増大させ、ダイナミック駆動や表示の保持といった性質を向上させる例が報告されている（特許文献４を参照）が、材料設計が複雑であり、駆動の為の消費電力も大きくなってしまう問題が残される。
【００１７】
電気泳動粒子のような弱いしきい値応答を有する表示系とはっきりとしたしきい値応答を有する発光表示系とを組み合わせてダイナミック駆動時のコントラストを見かけ上増大させる方式も検討されている（特許文献５を参照）が、表示のメモリ性や電気泳動表示の見やすさといった特徴を犠牲にしなければならない。
【００１８】
このように、電気泳動粒子を用いた表示系では、液晶などで用いられている単純マトリクス構造での運用は困難であり、ＴＦＴに代表されるアクティブ素子による駆動（特許文献６を参照）を主に開発が進められている。
【００１９】
今後タグ、カード、工具、電化製品などこれまで表示パネルが使われていなかった分野にディスプレイを展開しようとする際に、単純マトリクス構造またはその変形であるセグメント表示が可能な、低価格で薄い電気泳動表示媒体の需要も大きく伸びると予想されている。
【００２０】
また、これまで白黒表示が主であった電気泳動粒子を用いた表示系にも、単一色でも良いので色表示を加えてほしいとの要求が強くなってきた。
【先行技術文献】
【特許文献】
【００２１】
【特許文献１】実開平６２−０３８６２６号公報
【特許文献２】特開昭５９−０３４５１８号公報
【特許文献３】特開平１−０８６１１６号公報
【特許文献４】特開２００２−０４０９６７号公報
【特許文献５】特開２００２−５０７７６５号公報
【特許文献６】特開２０００−２２１５４６号公報
【発明の概要】
【発明が解決しようとする課題】
【００２２】
本発明は、前記従来の技術がもつ問題に鑑みてなされたものであり、その課題とするところは、電気泳動式ディスプレイを単純マトリクス駆動させた場合においても、動作を望まない画素で電気泳動粒子が動作して画像の品質を損ねたりせず、あるいは、中間濃度の表示（階調性表現）が出来、さらに異なる種類の電気泳動粒子（例えば着色粒子）を選択的に駆動させる画像表示装置の駆動方法を提供することにある。
【課題を解決するための手段】
【００２３】
上記の課題を解決するための手段として、請求項１に記載の発明は、白または黒、もしくは着色された粒子が分散媒と共に封入されているマイクロカプセルが、少なくとも片側が透明な電極間にバインダーと共に配置されている画像表示装置の駆動方法であって、着色及び粒径が異なる粒子を内包したマイクロカプセルが混在して配置された画像表示装置の、一方の電極に交流パルス電圧、もう一方の電極には直流電圧を印加し、マイクロカプセル中の粒子を制御することを特徴とする画像表示装置の駆動方法である。
【００２４】
また、請求項２に記載の発明は、片側の電極に印加する交流パルス電圧で粒子の誘電泳動を誘発し、もう片方の電極に加える直流電圧で交流パルス電圧波形にオフセットを与えることで、粒子の移動方向を制御することを特徴とする画像表示装置の駆動方法である。
【００２５】
また、請求項３に記載の発明は、オフセットのかかった不均一な交流パルス電圧のパルス数によって粒子の移動距離を制御し、表示の濃淡を調節することを特徴とする画像表示装置の駆動方法である。
【００２６】
また、請求項４に記載の発明は、少なくともマイクロカプセルに内包された複数の粒子種すべてが泳動する交流パルス電圧の周波数と、マイクロカプセルに内包された複数の粒子種のうち１種類のみが泳動する交流パルス電圧の周波数を組み合わせて表示を行なうことを特徴とする画像表示装置の駆動方法である。
【発明の効果】
【００２７】
請求項１に記載の発明により、白または黒、もしくは着色された粒子が分散媒と共に封入されているマイクロカプセルが、少なくとも片側が透明な電極間にバインダーと共に配置されている表示装置において、着色及び粒径が異なる粒子を内包したマイクロカプセルが混在して配置された表示装置の、一方の電極に交流パルス電圧、もう一方の電極には直流電圧を印加し、マイクロカプセル中の粒子を制御する駆動手段を備える事で、これまで駆動が困難であった単純マトリクス電極による表示が可能となった。
【００２８】
また、請求項２に記載の発明により、片側の電極に印加する交流パルス電圧で粒子の誘電泳動を誘発し、もう片方の電極に加える直流電圧で交流パルス電圧波形にオフセットを与えることで、これまで駆動が困難であった単純マトリクス電極による駆動での粒子の移動方向制御を容易にした。
【００２９】
請求項３に記載の発明により、オフセットのかかった不均一な交流パルス電圧のパルス数によって粒子の移動距離を制御し、表示の濃淡を調節する事で、表示の階調表現を詳細に設定できるようになった。
【００３０】
また、請求項４に記載の発明により、マイクロカプセルに印加する交流パルス電圧がある周波数以上になる場合、粒径の大きな粒子が追従できなくなる特性を利用し、特定の粒子のみを選択的に駆動させる事で、異なるなる色や粒径の粒子のみを制御することが可能となり、モノカラーの表示に単色カラー表示や複数カラー表示を加える事が可能となった。
【００３１】
本発明の駆動方法を用いることで、これまで困難であった電気泳動表示のダイナミック駆動と粒子の選択的な駆動が容易に可能となり、表示の濃淡やコントラストの向上、表示パネルの電極などのパターニングの自由度の向上、単一カラー表示や部分カラー表示を安価に提供できる表示媒体や表示装置の実現性を示した。
【図面の簡単な説明】
【００３２】
【図１】本発明の一実施形態における表示装置の表示パネルの一部分の構造を示す断面図である。
【図２】本発明の一実施形態における表示装置の表示パネルの一部分の構造を示す断面図である。
【図３】（ａ）本発明の一実施形態における表示装置の電圧に対する特性を求める際の電極の名称設定と観察面を示す為の断面図である。（ｂ）本発明の一実施形態における表示装置の電圧に対する特性を示した特性曲線の一例である。（ｃ）本発明の一実施形態における表示装置の誘電泳動特性を示した特性曲線の一例である。（ｄ）本発明の一実施形態における表示装置の交流電圧の周波数と粒子径に対する特性を示した特性曲線の一例である。
【図４】（Ｉ）本発明の一実施形態における表示装置の表示パネル（３×３マトリックス）をＣＯＭＭＯＮ側電極面から見た正面図であり、表示動作の準備段階を示す。（Ｉ）’本発明の一実施形態における表示装置の表示パネルの、準備段階でのそれぞれの電極に印加する電圧波形を示す。（ＩＩ）本発明の一実施形態における表示装置の表示パネル（３×３マトリックス）をＣＯＭＭＯＮ側電極面から見た正面図である。（ＩＩ）’本発明の一実施形態における表示装置の表示パネルの、描画時のそれぞれの電極に印加する電圧波形の一例を示す。（ＩＩＩ）本発明の一実施形態における表示装置の表示パネル（3x3マトリックス）をＣＯＭＭＯＮ側電極面から見た正面図である。（ＩＩＩ）’本発明の一実施形態における表示装置の表示パネルの、描画時のそれぞれの電極に印加する電圧波形の一例を示す。
【図５】（イ）本発明の一実施形態における表示装置の表示パネルの、描画時（白表示）のマイクロカプセル内の模式図（イ）’本発明の一実施形態における表示装置の表示パネルの、描画時（白表示）のそれぞれの電極に印加する電圧波形の一例を示す。（ロ）本発明の一実施形態における表示装置の表示パネルの、描画時（色表示）のマイクロカプセル内の模式図（ロ)’本発明の一実施形態における表示装置の表示パネルの、描画時（色表示）のそれぞれの電極に印加する電圧波形の一例を示す。
【発明を実施するための形態】
【００３３】
本発明の表示装置は相対向する透明電極の間に、泳動粒子を含む分散系をマイクロカプセルに内包した電子インクを設けたことを特徴とし、表示装置の各電極に交流及び直流を印加する条件によって粒子の誘電泳動を行うことを特徴とする。
【００３４】
以下、発明の実施の形態を図１〜図４を参照して説明を行う。
【００３５】
本実施の形態においては、ストライプ状に配列した透明電極を設けた透明基材を、それぞれ直角に対するように電極面同士を重ね合わせたマトリクス状の画素を持つ表示装置の製造方法を例示し、それぞれの電極に印可する電圧波形と一方の電極からみた光学特性の一例に関して説明した後、駆動の方法を例示することにより本発明を説明する。
【００３６】
まず、本発明に関わる表示装置について説明する。
【００３７】
図１及び図２は該表示装置の表示パネルの一部分の構造を示す為の断面図である。
【００３８】
図１に表示パネル１１の断面図を示す。
【００３９】
透明基材１１ａ、１１ｅは透明なガラス基材や透明なプラスチック樹脂基材を用いることができる。フレキシブルな表示パネルを得る場合は、厚みは５０〜５００μｍのポリエチレンテレフタレート（ＰＥＴ）、ポリエチレンナフタレート（ＰＥＮ）、ポリカーボネート（ＰＣ）、ポリイミド等の寸法安定性に優れ、通常のフィルムＬＣＤ用基材として使用されるプラスチック樹脂基材を用いる。
【００４０】
必要により耐バリア性の向上のため、ポリビニルアルコール共重合体、ポリビニルアルコール、ＳｉＯｘ、ＳｉＮｘをコーティングや蒸着により設けたり、耐光性を向上させるために既知のＵＶ吸収剤の含浸やコーティング処理を行ってもよい。
【００４１】
透明導電層１１ｂ、１１ｄは、スパッタリング法、真空蒸着法、ＣＶＤ法等の公知の方法により、酸化インジウムスズ（ＩＴＯ）、酸化スズ（ＮＥＳＡ）、酸化亜鉛等の透明導電物資を成膜（厚さ１００〜２５００Å）、エッチングによりパターン化することにより形成する。
【００４２】
画像表示層１１ｃにマイクロカプセル型電気泳動方式を用いた場合の構成について説明する。
【００４３】
次にマイクロカプセル１１０の一例を図２に示す。
【００４４】
マイクロカプセル１１０は、メタクリル酸樹脂、ユリア樹脂、アラビアゴム等をカプセル殻１１１とし内部には酸化チタンからなる白の粒子１１３（または粒子１１５）とカーボンブラックからなる黒の粒子１１４及び顔料または着色粒子１１６が、例えば脂肪族炭化水素、芳香族炭化水素、脂環式炭化水素、ハロゲン化炭化水素、各種エステル類、アルコール系溶媒、シリコーンオイル等の粘性の高い透明な分散媒１１２を用いて分散され、複合コアセルベーション法などの相分離法、界面重合法、ｉｎ−ｓｉｔｕ法、溶解分散冷却等高知の方法を用いて作製されるマイクロカプセルに封入されている。
【００４５】
マイクロカプセルに内包する酸化チタンからなる白の粒子１１３（または粒子１１５）やカーボンブラックからなる黒の粒子１１４、及び顔料または着色粒子１１６は直径０．１μｍ〜２０μｍ、マイクロカプセル内での泳動を考慮し、好ましくは１μｍ〜１０μｍのものが使用可能で、それぞれ凝集を防ぎ、泳動時の分極を誘発させやすくする為に、高分子樹脂による表面コーティングを施すことも可能である。
【００４６】
マイクロカプセルは必要に応じてふるい分け、比重分離法などの任意の方法によりカプセル径の分布を１〜３００μｍに調整しておくのが好ましく、コーティングなどの後工程や表示の際の密度を考慮し、好ましくは５〜２００μｍに調整しておくのが好ましい。
【００４７】
このようにして作製したマイクロカプセルを塩化ビニル・酢酸ビニル共重合体系、ウレタン系、エポキシ系、アクリル系、ポリエステル系などのバインダー樹脂と共に分散し、ロールコーターやナイフコーター、ダイコーター、リバースロールコーター、ブレードコーター、ロッドコーター、コンマコーター、グラビアコーター、アプリケーター、バーコーター、スピンコーター、スクリーン印刷法などの既存の印刷法、コーティング法を使用して５μｍ〜１００μｍ厚の画像表示層１１ｃを設けることができる。
【００４８】
通常の電気泳動による表示の際は、マイクロカプセル内の白の粒子である酸化チタンは正電極を帯びている一方、黒の粒子であるカーボンブラックは負電荷を帯びているため、図３（ａ）に示すように一対の電極（ここでは、ＣＯＭＭＯＮ及び ＳＥＧＭＥＮＴと明記）に、ＣＯＭＭＯＮ側が負極、ＳＥＧＭＥＮＴ側が正極として電圧を印加した場合、正に帯電した白の粒子１１３がＣＯＭＭＯＮ側に引かれる一方、黒の粒子１１４がＳＥＧＭＥＮＴ側に引かれ、ＣＯＭＭＯＮ側から観察した場合電圧を印加した部分が白く見える。
【００４９】
逆にＣＯＭＭＯＮ側が正極、ＳＥＧＭＥＮＴ側が負極として電圧を印加した場合、正に帯電した白の粒子１１３がＳＥＧＭＥＮＴ側に引かれる一方、黒の粒子１１４がＣＯＭＭＯＮ側に引かれ、ＣＯＭＭＯＮ側から観察した場合電圧を印加した部分が黒く見える。
【００５０】
図３（ｂ）は、ＣＯＭＭＯＮ側電極を０．０Ｖに保ち、ＳＥＧＭＥＮＴ電極の電圧を０．５Ｖ、１．０Ｖ、８．０Ｖ、１０．０Ｖの各電圧に設定した場合の画素の反射濃度と反応時間との関係を示した特性曲線である。
【００５１】
なお、本測定の際には、電圧を印加する前にあらかじめ画素を白（Ｏｐｔｉａｃｌ  Ｄｅｎｓｉｔｙ＝約０．５９）に設定しておいた。
【００５２】
この特性曲線によると、泳動粒子の移動が速やかに行われるためには比較的高い電圧（１０Ｖ）を加えることが必要である事を示している。
【００５３】
しかし、８Ｖの電圧を加えた場合も応答時間は遅くなるものの、色の変化は見られるが、液晶の様にある電圧からの急激な応答といった、明確なしきい値を示すものでは無い。
【００５４】
一定の時間が経過しても応答が見られない電圧領域は見られるが、十分に駆動を行うことができる電圧に比較してかなりの低電圧領域となるため、これまで単純マトリクスなどのダイナミック駆動に適していなかった。（粒子が動いてしまい、コントラストが悪くなってしまう。）
【００５５】
そこで、本発明の駆動方法では、粒子の誘電泳動現象を利用することで、単純マトリクス駆動の実現と、選択的な粒子の制御を同時に実現した。
【００５６】
誘電泳動とは、不均一な電場におかれた物質（粒子）が、周囲の電場とそれによって誘導される双極子モーメントの相互作用で動く現象とされる。
【００５７】
電気泳動では、単純な印加電圧による電気力線にそって電極に向かって動くのに対し、誘電泳動では電場強度の傾きによって移動する。
【００５８】
また、物質（粒子）の分極率によって、正及び負の誘電泳動（泳動方向に関係）の発現や、誘電率の違いによって泳動速度が異なる。
【００５９】
本発明では、さらにこの誘電泳動の性質として、粒子が大きくなると、高周波数の交流パルス電圧には泳動が追従できなくなるという性質を実際に確認し、利用するものである。
【００６０】
つまり、印加電圧（交流パルス電圧）、オフセット電圧、さらに交流パルス電圧の周波数やパルス数により、電極上の選択したエリアの粒子の動作を制御するものである。
【００６１】
以下、図やグラフなどを用いて詳細に説明する。
【００６２】
図３（ｃ）は、ＣＯＭＭＯＮ側電極に１０Ｈｚ、±１０Ｖの交流電圧を印加し、ＳＥＧＭＥＮＴ側電極を０．０Ｖ、−０．５Ｖ、−１．０Vの各電圧を印加した場合の画素の反射濃度と反応時間との関係を示した特性曲線である。
【００６３】
ＣＯＭＭＯＮ側電極からパルス状の交流電圧を印加することにより、粒子の分極を誘発し、さらにＳＥＧＭＥＮＴ側電極に負の電圧を印加する事で、ＣＯＭＭＯＮ側電極より印加される交流波形にオフセットを与え不均一交流とし、誘電泳動の動く方向を制御したものである。
【００６４】
図３（ｂ）と比較すると、ＳＥＧＭＥＮＴ側電圧だけでなく、交流電圧の印加により泳動粒子の移動がより容易になったことが示される。
【００６５】
交流電界の有無により従来見られなかった、より明確な応答の変化を得ることができ、単純マトリクスなどのダイナミック駆動に適用することができるだけでなく、交流パルスの数（印加時間）による粒子の移動距離の制御を行うことが可能となった。
【００６６】
具体的には、電気泳動粒子を移動させたい画素に関係するＣＯＭＭＯＮ側電極相当の電極に交流電圧波形を印加し、該画素のＳＥＧＭＥＮＴ側電極相当の電極に正または負の電圧を印加しオフセットすることでそれら電極に交差する部分の画素の電気泳動粒子を駆動させることができる。
【００６７】
一方、交流電圧波形をかけないＣＯＭＭＯＮ側電極相当の電極に関係する画素は、ＳＥＧＭＥＮＴ側電極相当の電極に一定以上の電圧を印加しない限り駆動しない。
【００６８】
これらの画素によるコントラストを用いて表示を行うことが可能となる。
【００６９】
なお、ＳＥＧＭＥＮＴ側相当の電極は配列された電極の一部分に順次電圧を印加していってもよいし、同時に印加を行ってもよく、同時に印加を行った場合は、画像の表示書き換えに要する時間を飛躍的に短縮することができる。
【００７０】
ＣＯＭＭＯＮ側の交流パルス電圧は４．０Ｖp-p〜４０．０Ｖp-pの範囲で動作を行うことができるが、好ましくは１０．０Ｖp-p〜２０．０Ｖp-pである。また、周波数は５Ｈｚ〜３０Ｈｚでの動作が可能であるが、好ましくは８Ｈｚ〜１５Ｈｚとする。これら電圧波形の条件は使用する粒子や充填率、溶媒粘度、マイクロカプセルの大きさによって異なり、特性に合わせた条件を設定するのが好ましい。
【００７１】
図３（ｄ）は、ある周波数の交流パルス電圧を印加した場合の、粒子径による挙動の違いを示す実験結果である。
【００７２】
この場合、粒径が小さい（２μｍ）場合、周波数の高い条件でも誘電泳動の挙動が確認できるのに対し、比較的粒径が大きい（８μｍ）ものは、泳動がほとんど観察されない。
【００７３】
これは、大きな粒径の場合、不均一な（オフセットのかかった）交流パルス電圧により分極が誘発されているが、粒子の重さや付近の充填液の抵抗により泳動が追従しないと考えられる。
【００７４】
つまり、誘電泳動に対して周波数特性の異なる粒子を同時に用いる場合、粒子の大きさを選択して泳動を誘発することが可能となる。
【００７５】
これにより、例えば粒径の異なる着色粒子をマイクロカプセル内に混在させるか、違う色の粒子を内包するマイクロカプセルを同時に配置したりすることで、色表示を行なうことができる。
【００７６】
以下に実施例を挙げて本発明について具体的に説明するが、本発明はこれらの実施例に限定されるものではない。尚、「部」の表記は断りのない限りいずれも重量部とする。
【実施例１】
【００７７】
まず、ポリエチレン樹脂で表面処理した粒径２μｍの酸化チタンとステアリルアミンアセテートで表面処理した粒径１〜２μｍの赤粒子（Ｐｉｇｍｅｎｔ  Ｒｅｄ１２２）それぞれをテトラクロロエチレン中に分散した分散液を作製した。
【００７８】
分散液４０部について、水８０部にゼラチン１０部とポリスチレンスルホン酸ナトリウム０．１部とを混合した水溶液と混合し、液温を４０℃に調節した後、液温を保ちながらホモジナイザーを用いて攪拌し、Ｏ／Ｗエマルジョンを得た。
【００７９】
つぎに、得られたＯ／Ｗエマルジョンと４０℃に調節された水８０部にアラビアゴム１０部を配合した水溶液とを混合し、溶液の液温を４０℃に保ちながら酢酸を用いて溶液のｐＨを４に調整し、コアセルベーションによりマイクロカプセル壁を形成した。
【００８０】
さらに液温を５℃に低下させた後、３７重量％ホルマリン溶液１．９部を加えてマイクロカプセル壁を硬化させ、白色粒子と赤色粒子を内包したマイクロカプセルを作製した。
【００８１】
これらマイクロカプセルをふるい分け、直径を４０μｍに揃えたマイクロカプセルを得た。
【００８２】
また、ポリエチレン樹脂で表面処理した粒径８μｍの酸化チタンとアルキルトリメチルアンモニウムクロライドで表面処理した粒径８μｍのカーボンブラック粒子をテトラクロロエチレン中に分散した分散液を用いて、上記と同様に直径を４０μｍに揃えたマイクロカプセルを作製した。
【００８３】
トルエン溶液１００部、ポリウレタン系の樹脂８０部に対し、上記にて作製したマイクロカプセル１：１の合計を８０部混合し、画像表示層インクを得た。
【００８４】
３列のストライプ状にインジウム錫酸化物（ＩＴＯ）電極が形成された透明ガラス基板を２つ用意し、一方のガラス基板の電極面にアプリケーターを用いて該画像表示層インクをコーティングし、７０℃、３０分乾燥させ、膜厚６０μｍの画像表示層を得た。
【００８５】
一方のガラス基板を電極が９０℃に対向するように電極面を重ね合わせることでマトリクス状に画素を設けた電気泳動表示パネルを得た。
【００８６】
図４に３×３のマトリクス状に画素を設けた電気泳動表示パネル（Ｉ）〜（ＩＩＩ）の正面図とその駆動時に印加する電圧波形（Ｉ）’〜（ＩＩＩ）’を示した。表示パネルの正面図はＣＯＭＭＯＮ電極側から見た状態としている。
【００８７】
それぞれの画素は白い状態から黒い状態へと移行することで描画を行うこととして説明するが、すべての画素を黒くしておいてから部分的に白に変化させることもできる。
【００８８】
（Ｉ）及び（Ｉ）’はそれぞれ描画の初期段階を示す状態とそのときに印加する電圧波形を示している。はじめにＣＯＭＭＯＮ電極側に白の粒子１１３（及び１１５）を集める動作であるが、表示の品質を高めるための処理であり、特に必要としない場合も考えられる。
【００８９】
ＣＯＭＭＯＮ側電極ＣＯＭ０〜ＣＯＭ２に交流波形を印加し、ＳＥＧＭＥＮＴ側電極ＳＥＧ０〜ＳＥＧ２に若干の正電圧を印加することで画素内の印加電圧を負側が大きくなった不均一交流電圧とし、すべての画素を白い状態にする。
【００９０】
次に（ＩＩ）及び（ＩＩ）’に示すように、ＣＯＭ０に交流波形を印加しＳＥＧ０、ＳＥＧ２には正電圧、ＳＥＧ１には負電圧を印加することにより、ＣＯＭ０とＳＥＧ０、ＳＥＧ２の交差するそれぞれの画素は（Ｉ）及び（Ｉ）’の場合と同様に白い状態になる。
【００９１】
一方ＣＯＭ０とＳＥＧ１の交差する画素は、（Ｉ）及び（Ｉ）’の場合とは逆に、画素内の交流パルス電圧が、正側に高くなった不均一交流電圧となるため、黒い状態を示す。
【００９２】
さらにＣＯＭ１及びＣＯＭ２とＳＥＧ０〜２の交差する画素では、±０．５Ｖの直流電圧しか印加されないので、図３(b)に示されるとおり粒子の移動はみられない。
【００９３】
同様に、（ＩＩＩ）及び（ＩＩＩ）’ではＣＯＭ１に交流波形を印加しＳＥＧ０に負電圧、ＳＥＧ１には正電圧を印加することにより、ＣＯＭ１とＳＥＧ０の交差する画素は黒く、ＣＯＭ１とＳＥＧ１の交差する画素は白い状態になる。
【００９４】
一方ＳＥＧ２にはＳＥＧ０と比べて負電圧を印加する時間を短くした波形（約半分のパルス）を与えることによりＣＯＭ１とＳＥＧ２の交差する画素は、ＣＯＭ１とＳＥＧ０が交差した画素よりも黒発色の濃度が低い状態（粒子の移動が少ない）となる。
【００９５】
つぎに、もう一度電極に 図５（イ）’と同様の電圧を加え、それぞれ描画の初期段階を示す状態としたのち、図５（ロ）‘と同様の電圧を加えたところ、流形の小さなカプセルのみが駆動し、赤粒子が画面の前面に移動した。
【産業上の利用可能性】
【００９６】
本発明は、マイクロカプセル内に内包された粒子の誘電泳動を誘発し、制御することにより、表示を行なう画像表示装置の駆動方法に関するものであり、より薄型で構成が簡易な小型の表示媒体の実現に利用できる。
【符号の説明】
【００９７】
１１    ・・・  表示パネル
１１ａ  ・・・  透明基材
１１ｂ  ・・・  透明導電層
１１ｃ  ・・・  画像表示層
１１ｄ  ・・・  透明導電層
１１ｅ  ・・・  透明基材
１１０  ・・・  マイクロカプセル
１１１  ・・・  カプセル殻
１１２  ・・・  分散媒
１１３  ・・・  白の粒子
１１４  ・・・  黒の粒子
１１５  ・・・  白の粒子（粒子径小）
１１６  ・・・  顔料または着色粒子（粒子径小）
【図１】
2013200354.tif 000003
【図２】
2013200354.tif 000004
【図３】
2013200354.tif 000005
【図４】
2013200354.tif 000006
【図５】
2013200354.tif 000007